(57)【要約】  本発明の課題は、簡易な構成をもって、カットパイルとループパイルの両方が混在するパイル織物を製造することの出来る、新規な構造のタフティングマシンを提供することにある。  かかる課題を解決するために、フィンガープレート９８を針３０の基布１２への刺し通し方向に変位せしめる変位手段１０６，１０８を設け、変位手段１０６，１０８でフィンガープレート９８を変位させて基布１２の表面側への変位を許容することにより基布１２の表面２９に形成されたループ１１４のルーパー８４による捕捉状態を解除可能とした。而して、ループ１１４に補足されたままのループはナイフで切断されてカットパイルとなる一方、ループ１１４の補足が解除されたループは切断されずにループパイルとなるようにした。
2009016685.tif 000002
【特許請求の範囲】
【請求項１】
繰出ローラによって一方向に送られる基布を表側からフィンガープレートによって支持せしめつつ、パイル糸が通された針を該基布に裏側から刺し通すことによって該パイル糸を該基布に刺し通す一方、自由端が該基布の送り方向と相対せしめられて該針に対して接近離隔方向に往復変位せしめられるルーパーを用いて該基布に刺し通された該パイルを捕捉せしめることによってループを形成すると共に、該ルーパーに対して相対変位せしめられるナイフによって該ルーパーに捕捉された該ループを切断するタフティングマシンにおいて、
前記フィンガープレートを前記針の前記基布への刺し通し方向に変位せしめる変位手段を設けて、該変位手段で該フィンガープレートを変位させて該基布の表面側への変位を許容することにより前記ループの前記ルーパーによる捕捉状態を解除可能としたことを特徴とするタフティングマシン。
【請求項２】
前記フィンガープレートを前記基布の表面側において幅方向に延びる回動軸まわりで往復回動変位可能とする回動機構と、該回動機構による該フィンガープレートの往復回動変位量を調節する回動量調節機構とによって前記変位手段を構成した請求項１に記載のタフティングマシン。
【請求項３】
前記回動機構をヒンジ機構によって構成すると共に、前記回動量調節機構をシリンダ機構によって構成した請求項２に記載のタフティングマシン。
【請求項４】
前記フィンガープレートを前記基布の幅方向で分割構成として、該分割された各フィンガープレートのそれぞれに前記変位手段を設けることによって、それら各フィンガープレートを各別に前記針の刺し通し方向に変位せしめることができるようにした請求項１乃至３の何れか一項に記載のタフティングマシン。
【請求項５】
互いに異なる速度で回転せしめられる複数のロールと、該ロールと対を成して設けられると共に、該ロールに対して当接離反せしめられて該ロールとの間で前記パイル糸を繰り出す遊転輪を備えた遊転輪装置と、該遊転輪装置を該ロールに対して接近離隔せしめる制御装置を含んで構成された糸供給装置を備えた請求項１乃至４の何れか一項に記載のタフティングマシン。
【発明の詳細な説明】
【技術分野】
【０００１】
本発明は、カーペット等のパイル織物を製造するタフティングマシンに係り、特に、カットパイルとループパイルの両方が混在するパイル織物を製造することの出来るタフティングマシンに関するものである。
【背景技術】
【０００２】
従来から、例えばカーペット等として用いられるパイル織物が知られており、かかるパイル織物には、肌触りや質感を高めるために基布に多数のパイルが形成されている。このようなパイル織物に形成されるパイルとしては、大きく分けて端部を有さない輪状のループパイルと、端部を有するひも状のカットパイルの２種類がある。【０００３】
ところで、これらパイル織物の製造には、タフティングマシンが広く用いられている。かかるタフティングマシンは、例えばループパイルを形成するものの場合には、パイル糸を通した針を基布に刺し通し、基布の送り方向と同方向に先端を向けたルーパーによってパイル糸を捕捉せしめた後に、針を基布から引き抜くことによってループパイルを形成する。一方、カットパイルを形成するものの場合には、ループパイルとは逆に、基布の送り方向と反対方向に先端を向けたルーパーによってパイル糸を捕捉せしめてループを形成し、かかるループをルーパーで捕捉せしめた状態でナイフで切断することによってカットパイルを形成する。【０００４】
このように、ループパイルとカットパイルでは、ルーパーの向きが反対であることから、一台のタフティングマシンでは何れか一方のパイルしか形成することが出来ないという問題を有していた。それ故、一台のマシンで異なるパイルを形成しようとする場合には、ルーパーを交換する等の手間が必要であった。【０００５】
このような問題に対処するために、本願発明者は、特許文献１（実開昭６２−７０１９７号公報）において、ループパイル用のルーパーとカットパイル用のルーパーの両方を備え、それら両ルーパーを選択的に用いることの出来るタフティングマシンを提案した。これにより、一台のタフティングマシンでループパイルとカットパイルの２種類のパイルを形成することが可能になると共に、ルーパーを交換するような手間も不要とされることから、製造効率の向上を図ることが出来た。【０００６】
このように、特許文献１に記載のタフティングマシンによって、ループパイルとカットパイルの両方を一台のタフティングマシンで製造することが可能とされて、製造効率をより向上せしめることが可能となったものの、特許文献１に記載のタフティングマシンには、未だ改良の余地が存していた。【０００７】
すなわち、特許文献１に記載のタフティングマシンにおいては、ループパイル用とカットパイル用の２種類のルーパーを備えると共に、各ルーパーを駆動せしめる駆動機構が必要とされることから、構造が複雑なものであった。また、かかるタフティングマシンは、ループパイルとカットパイルの何れか一方のパイル織物を択一的に製造可能とするものであって、ループパイルとカットパイルが混在するパイル織物を製造することは不可能であったのである。【０００８】
【特許文献１】実開昭６２−７０１９７号公報
【発明の開示】
【発明が解決しようとする課題】
【０００９】
ここにおいて、本発明は上述の如き事情を背景として為されたものであって、その解決課題とするところは、簡易な構成をもって、カットパイルとループパイルの両方が混在するパイル織物を製造することの出来る、新規な構造のタフティングマシンを提供することにある。
【課題を解決するための手段】
【００１０】
以下、前述の如き課題を解決するために為された本発明の態様を記載する。なお、以下に記載の各態様において採用される構成要素は、可能な限り任意の組み合わせで採用可能である。【００１１】
すなわち、本発明の第一の態様は、繰出ローラによって一方向に送られる基布を表側からフィンガープレートによって支持せしめつつ、パイル糸が通された針を該基布に裏側から刺し通すことによって該パイル糸を該基布に刺し通す一方、自由端が該基布の送り方向と相対せしめられて該針に対して接近離隔方向に往復変位せしめられるルーパーを用いて該基布に刺し通された該パイルを捕捉せしめることによってループを形成すると共に、該ルーパーに対して相対変位せしめられるナイフによって該ルーパーに捕捉された該ループを切断するタフティングマシンにおいて、前記フィンガープレートを前記針の前記基布への刺し通し方向に変位せしめる変位手段を設けて、該変位手段で該フィンガープレートを変位させて該基布の表面側への変位を許容することにより前記ループの前記ルーパーによる捕捉状態を解除可能としたことを、特徴とする。【００１２】
本態様に従う構造とされたタフティングマシンにおいては、変位手段でフィンガープレートを針の刺し通し方向である基布表面側に変位せしめて、基布の表側でのフィンガープレートによる支持を解除乃至は緩和することによって基布の表面側への変位が許容される。これにより、ルーパーに捕捉されて基布の表側にループを形成するパイル糸のテンションを緩めることが可能となって、例えばルーパーの変位なども相作用して、ループのルーパーによる捕捉状態を解除することが出来る。そして、ルーパーによる捕捉状態から解除されたループは、ナイフで切断されることなく、ループパイル形状をもって基布に植設されることとなる。一方、フィンガープレートが変位せしめられていない場合には、従来公知のカットパイル機と同様に、パイル糸にテンションを及ぼした状態でルーパーに捕捉せしめられることによって、ルーパーによる捕捉状態が維持される。そして、ルーパーに捕捉されたループは、最終的にはナイフで切断されてカットパイルとして基布に植設される。【００１３】
このように、本態様に従う構造とされたタフティングマシンにおいては、変位手段でフィンガープレートの位置を変位せしめることによって、従来のようにカットパイル用のルーパーとループパイル用のルーパーを交換する手間を要することもなく、ループパイルとカットパイルを選択的に形成することが可能となる。そして、ルーパーの交換も不要とされることによって、繰出ローラによる基布の送り工程を中断することなくカットパイル及びループパイルを選択的に形成出来ることから、ループパイルとカットパイルが混在するパイル織物を、優れた加工精度と製造効率をもって製造することが可能となるのである。【００１４】
なお、ループパイルとカットパイルの混在の態様は、例えばループパイル領域とカットパイル領域を明確に分けて混在させる他、ランダムに混在させるなど、各種態様が採用可能である。例えば、基布の展張力やフィンガープレートの変位量、ルーパーによってパイル糸に及ぼされるテンションの大きさ、ルーパーの変位方向などを適当に調節することにより、ループパイルのみが形成される状態とカットパイルのみが形成される状態とを、選択的に発現させることも可能であるし、また、ループパイルとカットパイルの両方を不規則に発現させることも可能である。【００１５】
更にまた、本態様に従う構造とされたタフティングマシンにおいては、フィンガープレートを変位せしめる変位手段以外の構造は、従来公知のカットパイル機と略同様の構造を用いて実現することも可能である。これにより、ループパイルとカットパイルが混在するパイル織物を製造可能なタフティングマシンを、簡易な構成で実現することが出来る。また、従来から用いられていたカットパイル機に僅かな改造を施すことで、カットパイル及びループパイルが混在するパイル織物を形成することの出来るタフティングマシンを得ることも可能となるのである。【００１６】
なお、本態様における変位手段の具体的な構造としては、各種の構造が適宜に採用可能である。例えば、フィンガープレートをシリンダ機構やサーボモータで支持せしめて変位可能としたり、ラック・ピニオン機構を用いて変位可能とする等の態様が採用され得る。また、フィンガープレートが変位せしめられる方向である針の基布への刺し通し方向とは、必ずしも針の往復方向と平行である必要は無く、基布の表側に対してフィンガープレートが離隔する方向であれば良い。好適には、基布の表面を鉛直下方に向けてループ植設加工が行われることとなり、その場合にフィンガープレートは基布を下方から支えるようになる。そして、フィンガープレートが鉛直又は斜め下方に向けて変位せしめられることで、基布は、重力作用も利用して下方に垂れるようにして変位せしめられるようにされる。【００１７】
本発明の第二の態様は、前記第一の態様に係るタフティングマシンにおいて、前記フィンガープレートを前記基布の表面側において幅方向に延びる回動軸まわりで往復回動変位可能とする回動機構と、該回動機構による該フィンガープレートの往復回動変位量を調節する回動量調節機構とによって前記変位手段を構成したことを、特徴とする。より具体的には、例えば本発明の第三の態様として、前記回動機構をヒンジ機構によって構成すると共に、前記回動量調節機構をシリンダ機構によって構成した態様が、かかる第二の態様の一つとして好適に採用され得る。【００１８】
このようにすれば、簡易な構成をもって変位手段を構成することが出来る。ここにおいて、第三の態様におけるシリンダ機構としては、エアシリンダ、油圧シリンダ等公知のシリンダ機構が適宜に採用可能である。また、第二の態様における回動量調節機構としては、第三の態様の如きシリンダ機構に限定されるものではなく、例えばサーボモータを用いる等しても良い。【００１９】
本発明の第四の態様は、前記第一乃至第三の何れか一つの態様に係るタフティングマシンにおいて、前記フィンガープレートを前記基布の幅方向で分割構成として、該分割された各フィンガープレートのそれぞれに前記変位手段を設けることによって、それら各フィンガープレートを各別に前記針の刺し通し方向に変位せしめることができるようにしたことを、特徴とする。【００２０】
本態様に従う構造とされたタフティングマシンにおいては、複数のフィンガープレートを基布の幅方向で各別に変位せしめることによって、基布の送り方向でループパイルとカットパイルを混在せしめるのみならず、送り方向に直交する幅方向にもループパイルとカットパイルを混在せしめることが出来る。これにより、ループパイルとカットパイルを基布の幅方向で交互に縞状に形成したり、更には、各フィンガープレートの変位をより高精度に制御することによって、カットパイル乃至はループパイルの模様を基布の斜め方向に連続して形成すること等も可能となることから、より複雑又は多様な模様を形成することも可能となる。【００２１】
すなわち、各フィンガープレートの基布に対する離隔方向への変位を相互に独立して設定できることから、例えば、特定領域でカットパイルだけを形成したり、特定領域でループパイルだけを形成したり、また特定領域でカットパイルとループパイルを不規則に混在させて形成したりすることが可能であり、更に、カットパイルとループパイルが不規則に混在する領域においてもカットパイルとループパイルの相対比率を異ならせたりすることも可能となる。そして、そのような各種設定を、基布の送り方向だけでなく幅方向においても、フィンガープレートの分割数に対応した領域に区分して、各別に行うことが可能となるのである。【００２２】
また、フィンガープレートを基布の幅方向で分割構成するに際しては、例えばルーパーにおいても、それら各分割されたフィンガープレートに対応する部分ごとに分割構造とすることも可能である。これにより、ルーパーによってループに及ぼされるテンションなどの条件も、各分割フィンガープレートごとに設定することが可能となり、上述の如きカットパイルとループパイルの選択的な形成をより高精度に行うことが可能となる。【００２３】
本発明の第五の態様は、前記第一乃至第四の何れか一つの態様に係るタフティングマシンにおいて、互いに異なる速度で回転せしめられる複数のロールと、該ロールと対を成して設けられると共に、該ロールに対して当接離反せしめられて該ロールとの間で前記パイル糸を繰り出す遊転輪を備えた遊転輪装置と、該遊転輪装置を該ロールに対して接近離隔せしめる制御装置を含んで構成された糸供給装置を備えたことを、特徴とする。【００２４】
本態様に従う構造とされたタフティングマシンにおいては、制御装置によって接近せしめられた遊転輪装置の遊転輪が、対向するロールとの間でパイル糸を狭持することによって、それぞれのロールの回転速度に対応した速さでパイル糸を送り出すことが出来る。そして、パイル糸の送り量を調節することによって、パイル糸のテンションを調節することが出来る。【００２５】
従って、例えばフィンガープレートが針の刺し通し方向に変位せしめられて、パイル糸のテンションが緩められる場合でも、パイル糸の送り量を少なくしてテンションを保つことによって、ルーパーによる捕捉状態を保ち、カットパイルを形成することが出来る。一方、フィンガープレートが変位せしめられる場合には、パイル糸の供給量を多くしてテンションを緩めることによって、ルーパーによる捕捉状態をより容易に解除せしめてループパイルを形成することが出来る。このように、本態様によれば、針へのパイル糸の供給量を調節することによってループパイルとカットパイルを一層精度良く選択的に形成することが可能となる。それと共に、各針へのパイル糸の供給量を各別に調節出来ることから、より複雑な模様を形成することも可能であるし、或いは、カットパイルとループパイルが無作為に混在するパイル織物を製造すること等も一層容易となる。
【図面の簡単な説明】
【００２６】
【図１】本発明の一実施形態としてのタフティングマシンの概略を示す説明図。
【図２】同タフティングマシンの植込機構および糸送り機構を示す説明図。
【図３】図２に示した糸送り機構に用いられる遊転輪装置を示す説明図。
【図４】図１に示したタフティングマシンのパイル機構を示す説明図。
【図５】同タフティングマシンの作動態様を説明するための説明図。
【図６】異なる態様のフィンガープレートおよび変位手段を説明するための説明図。
【符号の説明】
【００２７】
１０  タフティングマシン
１２  基布
１４  パイル糸
３０  ニードル
８４  ルーパー
９６  ナイフ
９８  フィンガープレート
１０６  ヒンジ
１０８  エアシリンダ
１０９  電磁弁
１１０  フィンガー
【発明を実施するための最良の形態】
【００２８】
以下、本発明を更に具体的に明らかにするために、本発明の実施形態について、図面を参照しつつ、詳細に説明する。【００２９】
先ず、図１に、本発明の一実施形態としてのタフティングマシン１０の概略を示す。タフティングマシン１０は、略水平方向に広げられる基布１２の上方に、パイル糸１４を基布１２に植え込む植込機構１６および植込機構１６にパイル糸１４を供給する糸供給装置としての糸送り機構１７が設けられる一方、基布１２の下方に、パイルを形成するためのパイル機構１８が設けられた構造とされている。なお、以下の説明において、特に断りのない限り、上下方向とは、図１中の上下方向をいうものとする。【００３０】
より詳細には、パイル機構１８を挟んだ水平方向両側には、一対のスパイクローラ２０，２２が回転可能に設けられており、一方のスパイクローラ２０の下方にはフィードローラ２４が設けられ、他方のスパイクローラ２２の上方には送出ローラ２６が設けられており、これら各ローラ２０，２２，２４，２６によって繰出ローラが構成されている。更に、フィードローラ２４の下方には、基布１２がロール状に巻き付けられた基布スタンド２８が回転可能に設けられている。これら各ローラ２０，２２，２４，２６および基布スタンド２８は、基布１２の幅寸法と同じ乃至はやや大きな軸方向長さ寸法をもって、互いの軸を同じ方向（本実施形態においては、図１の紙面に直交する方向）に向けて、互いに平行に配設されている。【００３１】
そして、基布１２は基布スタンド２８から上方に延び出されて、フィードローラ２４とスパイクローラ２０の間を通って両ローラ２４，２０に掛装されている。更に、基布１２は、スパイクローラ２０，２２の間に掛装されている。ここにおいて、スパイクローラ２０の上端縁部とスパイクローラ２２の下端縁部は略同じ高さ位置とされており、これにより、両スパイクローラ２０，２２の間に掛装された基布１２は、略水平方向に広がって掛装されている。また、基布１２は、スパイクローラ２０，２２の間の掛装状態において、表面２９が下側に、裏面３１が上側に位置せしめられている（図２参照）。更に、基布１２はスパイクローラ２２から上方に延び出されて、スパイクローラ２２と送出ローラ２６の間を通って両ローラ２２，２６に掛装されている。【００３２】
そして、フィードローラ２４および送出ローラ２６を同期して回転せしめると、基布スタンド２８に巻き付けられた基布１２が繰り出されて、両スパイクローラ２０，２２の間に位置する基布１２がスパイクローラ２２に向けて移動せしめられる。更に、送出ローラ２６から繰り出された基布１２は、タフティングマシン１０の外部へ送り出されるようになっている。【００３３】
また、基布１２の上方には、植込機構１６および糸送り機構１７が設けられている。図２に、植込機構１６および糸送り機構１７を示す。植込機構１６は、針としてのニードル３０を垂直方向に往復駆動せしめることによってパイル糸１４を基布１２に植え込むためのものであり、箱体形状とされたヘッド３２内に、ニードル３０を往復駆動せしめるクランク機構３４を備えた構造とされている。クランク機構３４は、前記スパイクローラ２０，２２の延び出し方向（図２の紙面と直交する方向）と平行に延びるニードルシャフト３６に固定的に取り付けられたニードルロッカーアーム３８と、鉛直方向に延びるプッシュロッド４０がコネクションリンク４２によって連結されて構成されている。更に、プッシュロッド４０の下端部には、所定幅寸法をもってニードルシャフト３６と平行に延びるニードルバー４４が設けられており、かかるニードルバー４４の下端部に、針としてのニードル３０が、下方に突出してニードルバー４４の長手方向（図２の紙面と直交する方向）に沿って複数設けられている。そして、ニードルシャフト３６の回転運動がプッシュロッド４０の垂直方向の往復運動に変換されることによって、ニードル３０が基布１２に対して垂直方向で接近離反せしめられるようになっている。このように、本実施形態においては、ニードル３０の基布１２への刺し通し方向は、鉛直下方とされており、ニードル３０は、基布１２の裏面３１から表面２９に向けて刺し通されるようになっている。【００３４】
一方、糸送り機構１７は、パイル糸１４をニードル３０に供給するためのものである。なお、本実施形態における糸送り機構１７は、本出願人が以前に出願した特開昭６３−２０３８６１号公報に記載のものと同様であることから、以下はその概要を説明するに留める。【００３５】
タフティングマシン１０の上部には、上方に延びる上部スタンド４６が設けられており、かかる上部スタンド４６に、周面に例えば粗面加工等が施されたロール４８ａ，４８ｂ，４８ｃ，４８ｄがニードルシャフト３６と同方向（図２の紙面と直交する方向）に延びる軸回りで回転可能に上下方向に並設されている。これらロール４８ａ乃至４８ｄは、互いに異なる速度で回転せしめられるようになっている。【００３６】
そして、ロール４８ａ乃至４８ｄに対向して、遊転輪装置５０ａ乃至５０ｄが設けられている。遊転輪装置５０ａ乃至５０ｄは互いに同様の構造とされていることから、以下は遊転輪装置５０ａを例に説明する。【００３７】
図３に、遊転輪装置５０ａを示す。遊転輪装置５０ａは、ロール４８ａ側の端部に遊転輪５２を備えると共に反対側の端部がエアシリンダ５４のシャフト５６に連結せしめられた支杆５８が、支持部材６０でロール４８ａに対して接近離隔方向（図３中、左右方向）に摺動可能に支持された構造とされている。また、支杆５８には、シャフト５６に外挿されたコイルスプリング６２によって、ロール４８ａから離隔する付勢力が及ぼされており、エアシリンダ５４にエアが供給されていない状態では、遊転輪５２がロール４８ａから離隔するようにされている。そして、エアシリンダ５４が作動せしめられてエアが供給されることによって、支杆５８がロール４８ａに接近せしめられて、遊転輪５２をロール４８ａに当接せしめるようにされている。【００３８】
エアシリンダ５４へのエアの供給は、各エアシリンダ５４に対応する電磁弁群６４を設け、予め設定した模様を記憶したコンピュータや光電管を使用したパターンドラム等のパターン制御装置６６から発せられる制御信号に基づいて、電磁弁群６４の電磁弁を選択的に作動することによって行われる。【００３９】
そして、ロール４８ａ乃至４８ｄと遊転輪装置５０ａ乃至５０ｄの間に、パイル糸１４が上下方向に通されて、ヘッド３２に取り付けられたテンションロール６８，６８によってテンションを与えられると共に、ヘッド３２の適当な箇所に複数設けられた糸ガイド７０で案内されて、ニードル３０に貫設された針穴１１２（図５参照）に通されることによって、ニードル３０に供給されるようになっている。【００４０】
このような構造とされた糸送り機構１７は、例えばパターン制御装置６６から発せられた信号が電磁弁群６４中の特定の電磁弁を励磁して、遊転輪装置５０ａのエアシリンダ５４にエアを供給すると、遊転輪装置５０ａのエアシリンダ５４が作動して支杆５８をロール４８ａに接近せしめる。そして、遊転輪５２がパイル糸１４をローラ４８ａとの間で狭持してローラ４８ａに当接せしめられ、ローラ４８ａの回転に合わせて回転せしめられる。これにより、パイル糸１４がロール４８ａの回転速度に従って送り出されて、かかる送り出し量に応じたパイル長をもって基布１２に植え付けられることとなる。【００４１】
一方、パターン制御装置６６によって遊転輪装置５０ｂのエアシリンダ５４にエアが供給されると、遊転輪装置５０ａのエアシリンダ５４へのエアの供給が停止されて、遊転輪５２がコイルスプリング６２の付勢力によってロール４８ａから離隔せしめられる。そして、遊転輪装置５０ｂの遊転輪５２がパイル糸１４をロール４８ｂとの間で狭持してロール４８ｂに当接せしめられることによって、パイル糸１４がロール４８ｂの回転速度に従って送り出されることとなる。【００４２】
ここにおいて、ロール４８ａ乃至４８ｄの回転速度は互いに異ならされていることから、各ロール４８ａ乃至４８ｄによって送り出されるパイル糸１４の送り出し量も異ならされることとなる。その結果、基布１２の表面２９に形成されるパイルの大きさを制御することが出来て、パターン制御装置６６に予め設定された模様を基布１２上に現出せしめることが可能となる。【００４３】
一方、基布１２を挟んでこれら植込機構１６および糸送り機構１７の反対側、即ち、基布１２の下方には、パイル機構１８が設けられている。図４に、パイル機構１８を示す。なお、図４においては、基布１２およびパイル糸１４を省略した形で図示する。パイル機構１８には、スパイクローラ２０と同じ方向（図４の紙面に直交する方向）に延びるルーパーシャフト７２が設けられている。ルーパーシャフト７２には、上方に円弧状に延びるルーパーロッカーアーム７４の下端部が固定的に連結されている。また、ルーパーロッカーアーム７４の上端部の外側には、ルーパーシャフト７２と平行に延びるルーパードライブシャフト７６が設けられている。かかるルーパードライブシャフト７６にはロッカーアーム７８が固定的に取り付けられており、ロッカーアーム７８が、コネクティングリンク８０を介してルーパーロッカーアーム７４の上端部に連結されることによって、リンク機構が構成されている。【００４４】
また、ルーパーロッカーアーム７４の上端部には、ニードルバー４４と同じ方向（図４の紙面に直交する方向）に延びるルーパーバー８２が設けられており、かかるルーパーバー８２の延出方向に沿って、複数のルーパー８４が並設されている。ここにおいて、各ルーパー８４は各ニードル３０と対応して、ニードル３０と同じ数だけ設けられている。また、自由端とされたルーパー８４の先端部は、ルーパーバー８２からニードル３０に向けて、換言すれば、基布１２の送り出し方向（図４の左から右方向）に相対する方向に突出せしめられており、かかる突出先端部には、下方に突出せしめられた突起８６が設けられている。これにより、ルーパー８４の先端部は、下方に開口する鉤形状とされている。【００４５】
また、ルーパーシャフト７２およびルーパードライブシャフト７６は、互いに同期して所定の角度内で往復回動せしめられるようになっており、ルーパーシャフト７２の往復回動は、ルーパーロッカーアーム７４およびルーパーバー８２を介してルーパー８４へ僅かな上下動として伝達される。一方、ルーパードライブシャフト７６の往復回動は、ロッカーアーム７８、コネクティングリンク８０、ルーパーロッカーアーム７４およびルーパーバー８２を介してルーパー８４へ左右動として伝達される。そして、両シャフト７２，７６の動きが合成されることによって、ルーパー８４は各ニードル３０の上下動と同期して楕円軌道上を移動する。これにより、ルーパー８４が、ニードル３０によって基布１２に刺し通されたパイル糸１４を補足する糸取り動作を行うようにされている。【００４６】
また、ルーパーシャフト７２のやや上方には、ルーパーシャフト７２と平行に延びるナイフドライブシャフト８８が設けられている。ナイフドライブシャフト８８には、ナイフロッカーアーム９０が固定されており、かかるナイフロッカーアーム９０の上端部には、ナイフドライブシャフト８８と同じ方向に延びるナイフバー９２が設けられている。【００４７】
ナイフバー９２において各ルーパー８４に対応する位置には、それぞれ、ナイフブロック９４が設けられており、かかるナイフブロック９４に、略鉛直方向に延びるナイフ９６が取り付けられている。ナイフ９６の上端縁部には切刃が形成されており、ナイフ９６とルーパー８４は、それらの厚さ方向（図４の紙面に直交する方向）で互いに対向する面が接触せしめられる。【００４８】
ナイフドライブシャフト８８は、所定の角度内で往復回動せしめられるようになっており、かかるナイフドライブシャフト８８の往復回動が、ナイフロッカーアーム９０、ナイフバー９２、ナイフブロック９４を介してナイフ９６の上下動として伝達される。かかるナイフ９６の上下動によってナイフ９６がルーパー８４に対して接近離隔方向に摺動せしめられ、ナイフ９６がルーパー８４に捕捉されたパイル糸１４を切断するための糸切り動作を行うようになっている。【００４９】
一方、ニードル３０を挟んでルーパー８４やナイフ９６の反対側には、フィンガープレート９８を支持するベッド１００が配設されている。ベッド１００は、鉛直上方に立ち上がると共に、ルーパーシャフト７２やナイフドライブシャフト８８と同じ方向（図４の紙面に直交する方向）に延びる板状のベッドフレーム１０２の上端部に、ベッドフレーム１０２と略等しい長さ寸法を有する板状のベッドプレート１０４の一方の端部が回動機構としてのヒンジ１０６によって回動可能に連結された構造とされている。更に、ベッドフレーム１０２におけるニードル３０側の面とベッドプレート１０４のニードル３０側の端部の下面との間に、シリンダ機構としてのエアシリンダ１０８のそれぞれの端部が連結されている。かかるエアシリンダ１０８へのエアの供給は、電磁弁１０９を設け、前述のパターン制御装置６６から発せられる制御信号に基づいて電磁弁１０９を作動することによって行われる。そして、エアシリンダ１０８の伸縮量によって、ベッドプレート１０４のベッドフレーム１０２に対する回動量が調節されるようになっており、本実施形態においては、エアシリンダ１０８によって回動量調節機構が構成されていると共に、ヒンジ１０６、エアシリンダ１０８を含んでフィンガープレート９８を変位せしめる変位手段が構成されている。なお、ベッドプレート１０４は、通常は、フィンガープレート９８が水平方向に広がる位置が定常位置とされている。【００５０】
そして、ベッドプレート１０４の上面に、フィンガープレート９８が取り付けられており、フィンガープレート９８の上面によって、基布１２の表面２９が支持されるようになっている。フィンガープレート９８は、ニードル３０に向けて突出する多数のフィンガー１１０がニードル３０の径寸法より僅かに大きな所定間隔を隔ててニードル３０の配列方向（図４の紙面に直交する方向）に形成された櫛のような形状とされており、隣り合うフィンガー１１０の間の空隙に、ニードル３０が通されるようになっている。そして、かかるフィンガープレート９８がベッドプレート１０４の上面に取り付けられていることによって、本実施形態におけるフィンガープレート９８は、基布１２の幅方向に延びるヒンジ１０６を回動軸として回動可能とされている。【００５１】
図５に、このような構造とされたタフティングマシンの作動態様を説明する。先ず、図５（ａ）に示すように、フィンガープレート９８が定常位置に位置せしめられて基布１２の表面２９を支持せしめた状態で、針穴１１２にパイル糸１４が通されたニードル３０が下方に変位せしめられて、基布１２を裏面３１から表面２９へ貫通する。これにより、パイル糸１４が基布１２を貫通して打ち込まれる。ここにおいて、ニードル３０が基布１２を貫通する際には、フィンガープレート９８が定常位置に位置せしめられて基布１２を支持することにより、基布１２が撓んでニードル３０の接触圧が逃がされることが抑えられて、ニードル３０を基布１２に安定して刺し通すことが出来るようにされている。【００５２】
なお、図５においては、基布１２とフィンガープレート９８が上下方向で隙間をもって非接触とされているように見えるが、本実施形態におけるフィンガープレート９８は、ニードル３０側と反対側の端部の高さ位置が僅かに高く形成されており（図４参照）、基布１２は、フィンガープレート９８におけるニードル３０側と反対側の部位（図５において図示されていない左側の部位）で支持されている。特に、ニードル３０が基布１２に刺し通される際には、基布１２がニードル３０の押圧力や摩擦力で下方に向かって押されることとなり、その際の基布１２の下方への変位がフィンガープレート９８の先端部分（図５に示されたニードル３０側の部分）への当接によって制限されるようになっている。尤も、図５に示された状態下でも、基布１２の表面（図中の下側面）がフィンガープレート９８に当接状態で支持されるようになっていても良い。【００５３】
また、図５に示されているように、基布１２を貫通したニードル３０の先端部は、フィンガープレート９８のフィンガー１１０の間の空隙を通って、フィンガープレート９８の下面から更に下方に突出せしめられる。【００５４】
そして、ニードル３０が下方に変位せしめられると共に、ルーパー８４がニードル３０に向けて接近せしめられる。そして、ニードル３０が下死点に位置せしめられると、図５（ｂ）に示すように、ルーパー８４の先端部分がニードル３０とニードル３０によって打ち込まれたパイル糸１４の間に挿し入れられる。【００５５】
続いて、図５（ｃ）に示すように、ニードル３０が下死点から上方へ変位せしめられると、ニードル３０は基布１２の表面２９から裏面３１に向けて引き抜かれる。ここにおいて、ニードル３０によって打ち込まれたパイル糸１４は、ルーパー８４の先端部分で捕捉されて、基布１２の表面２９に突出した状態に保たれることとなり、これにより、ニードル３０が貫通した基布１２の穴を通じて、パイル糸１４が基布１２の表面２９にループ形状に植設されて、ループ１１４が形成される。【００５６】
そして、ニードル３０が上昇せしめられると共に、制御装置６６からの制御信号に基づいてエアシリンダ１０８が収縮作動せしめられることによって、ベッドプレート１０４がヒンジ１０６を中心に下方に回動せしめられて、フィンガープレート９８が下方に所定角度だけ回動せしめられる。これにより、フィンガープレート９８で支持された基布１２の下方への撓みが許容されて、基布１２と共に、ルーパー８４で捕捉されたループ１１４が下方へ変位せしめられることによって、ループ１１４のルーパー８４による捕捉状態が解除される。【００５７】
なお、ルーパー８４による捕捉状態を解除するために、フィンガープレート９８は、ループ１１４がルーパー８４の突起８６に引っ掛かることの無い程度に下方に回動せしめられる。また、本実施形態においては、フィンガープレート９８は基布１２の支持を緩和する程度に下方に回動せしめられており、下方への回動状態においても基布１２の表面２９に対する接触状態が保たれているが、例えば、基布１２の支持を解除する程度に変位せしめることも可能であって、具体的には、基布１２に生じ得る撓みよりも下方に変位せしめて、基布１２の表面２９と完全に離隔する程度にまで回動せしめることも可能である。【００５８】
そして、ルーパー８４がニードル３０から離隔する方向へ変位せしめられることによって、ルーパー８４の先端部が、ループ１１４から引き抜かれる。これにより、基布１２の表面２９に、ループ１１４がループパイルとして形成されることとなる。【００５９】
続いて、制御装置６６からの制御信号に基づいてエアシリンダ１０８が伸張作動せしめられることによって、ベッドプレート１０４が再び水平状態とされて、フィンガープレート９８が定常位置に復帰せしめられる。【００６０】
このように、フィンガープレート９８が定常位置に復帰せしめられると、フィードローラ２４、スパイクローラ２０，２２、送出ローラ２６が回転せしめられることによって、基布１２が所定量だけ基布スタンド２８から繰り出される。なお、ルーパー８４による捕捉状態が解除されたループ１１４は、フィンガープレート９８が定常位置に復帰せしめられることによって、基布１２と共に上方に変位せしめられることから、基布１２の移動に際して、再びルーパー８４の先端部に捕捉されるおそれも軽減されている。【００６１】
一方、ニードル３０が上死点に位置せしめられた（図５（ｃ））後に、エアシリンダ１０８の伸縮作動を行わない場合には、ループ１１４のルーパー８４による捕捉状態が維持される。そして、ルーパー８４に捕捉されたループ１１４は、基布１２の繰り出しに従ってルーパー８４におけるニードル３０から離隔する方向へ案内されて、ナイフ９６により切断されてカットパイルとして形成されることとなる。【００６２】
そして、基布１２が所定量だけ基布スタンド２８から繰り出された後に、ニードル３０の下降が前記同様に開始される。続いて、基布１２に打ち込まれたパイル糸１４のループ１１４がルーパー８４で捕捉された後に、前記同様に、フィンガープレート９８が下降せしめられた場合にはループパイル、フィンガープレート９８が定常位置に位置せしめられていた場合にはカットパイルが形成されることとなる。以上の動作を繰り返すことによって、基布１２の表面２９に、多数のループパイルとカットパイルが混在して形成される。【００６３】
なお、フィンガープレート９８の下方への変位量を調節して、図５（ｃ）〜（ｄ）に至る工程で、ループ１１４がルーパー８４から外れる場合と外れない場合が秩序なく発生するようにしても良い。これにより、ループパイルとカットパイルが一つの領域で混在した織物を製造することが可能となる。【００６４】
また、図５においては、理解を容易とするために、一つのループ１１２だけを示してあるが、基布１２においてニードル３０が刺し通された位置（図５中の中央位置）よりも基布１２の送り方向前方側（図５中の右側）には、適当な間隔でループパイル又はカットパイルが形成されて存在する。【００６５】
特に、前述の如く、図５（ｃ）〜（ｄ）に至る工程で、ループ１１４がルーパー８４から外れる場合と外れない場合が秩序なく発生するようにしてパイル形成する場合には、ルーパー８４に対しては、一般的なループパイルの形成工程と同様に、複数個（例えば２〜５個）のループが掛けられた状態とされて、ルーパー８４の一番奥方（図５中の右側）に掛けられたループだけが一つずつナイフ９６で切断されることとなる。そして、図 5（ｄ）においてフィンガープレート９８が下降変位せしめられると、ルーパー８４の一番先方（図５中の左側）に掛けられたループだけがルーパー８４から外れてループパイルとされることとなる。なお、一旦ルーパー８４から外れたループパイルは、ルーパー８４によるテンションが解除されることで基布１２側に縮んだ状態で存在することから、そのループパイルが再びルーパー８４に係止されることはない。【００６６】
ところで、特に本実施形態においては、特定構造を有する糸送り機構１７を備えたことによって、各ニードル３０へのパイル糸１４の供給量を個別に調節することが可能とされている。これにより、ニードル３０へのパイル糸１４の供給量を抑えることによって、フィンガープレート９８が下降せしめられた場合でも、パイル糸１４にテンションを与えて、ルーパー８４による捕捉状態を維持せしめてカットパイルを形成することも出来る。このようにすれば、多数のニードル３０の内、特定のニードル３０に対応する箇所のみカットパイルを形成することなども可能となって、予め設定したパターンに従って各ニードル３０へのパイル糸１４の供給量を制御することによって、より複雑な模様や任意の模様を形成することも可能となる。また、パイル糸１４の供給量を調節することによって、パイルの大きさを調節することも出来る。【００６７】
このような構造とされたタフティングマシン１０においては、フィンガープレート９８を下方に変位せしめて、基布１２の表面２９でのフィンガープレート９８による支持を解除乃至は緩和することによって、基布１２の下方への変位が許容されるようになっている。これにより、パイル糸１４に加えられるテンションを調節することが可能とされており、パイル糸１４を基布１２に植糸してゆく過程において基布１２を下方へ変位せしめることによって、パイル糸１４のテンションを緩和して、ルーパー８４による捕捉状態を解除することが可能とされる。従って、ルーパー８４による捕捉状態から開放されたパイル糸１４をループパイルとして形成することが可能とされて、ループパイルとカットパイルが混在するパイル織物を製造することが可能となるのである。【００６８】
そして、特に本実施形態におけるタフティングマシン１０は、従来公知のカットパイル用のタフティングマシンにフィンガープレートの変位手段を設けるという簡易な構成で実現可能であることから、従来から用いられていたカットパイル用のタフティングマシンに僅かな改造を施すことによって、カットパイルおよびループパイルが混在するパイル織物を製造可能なタフティングマシンを得ることが出来る。また、本実施形態におけるタフティングマシン１０は、フィンガープレート９８を下方へ変位せしめることなく定常位置に位置せしめることによって、パイル糸１４にテンションを加えてルーパー８４による捕捉状態を維持出来ることから、カットパイルのみを有するパイル織物も従来通り製造することが出来るのである。【００６９】
以上、本発明の一実施形態について詳述してきたが、これはあくまでも例示であって、本発明は、かかる実施形態における具体的な記載によって、何等、限定的に解釈されるものではない。【００７０】
例えば、フィンガープレートを変位せしめる変位手段は、フィンガープレートによる基布の支持を解除乃至は緩和するものであれば良いのであって、フィンガープレートの変位方向としての針の基布への刺し通し方向としては、前述の如き回転方向に限定されない。従って、例えば前記実施形態においてフィンガープレート９８を支持するベッドプレート１０４を、ラック・ピニオン機構などを用いて鉛直上下方向に変位せしめる等しても良い。【００７１】
また、前記実施形態においては、特定構造を有する糸送り機構１７を備え、各ニードル３０へのパイル糸１４の供給量を調節することによって、各ニードル３０毎にカットパイルおよびループパイルを選択的に形成することが可能とされていたが、糸送り機構１７は必ずしも前述の如き特定構造を有するものに限定されるものではなく、従来公知の糸供給装置が適宜に採用可能である。【００７２】
更にまた、前記実施形態においては、フィンガープレート９８は基布１２の幅方向に延びる単一の部材とされていたが、例えばフィンガープレートを基布の幅方向で分割構成として、分割された各フィンガープレートのそれぞれに変位手段を設けて各別に変位せしめることも可能である。図６に、そのような態様のフィンガープレートの上面をモデル的に示す。【００７３】
本態様におけるフィンガープレートは、基布の幅方向（図６中、上下方向）で複数（本態様においては、１０個）に分割されたフィンガープレート１２０ａ乃至１２０ｊから構成されており、これらのフィンガープレート１２０ａ乃至１２０ｊが基布の幅方向に並設されることによって、基布の幅方向の略全体に亘るフィンガープレートが構成されている。更に、各フィンガープレート１２０ａ乃至１２０ｊは、基布の幅方向でフィンガープレートと同数（本態様においては、１０個）に分割されたベッドプレート１２２ａ乃至１２２ｊの上面に固定されており、各ベッドプレート１２２ａ乃至１２２ｊが、前記実施形態と同様のベッドフレーム１０２（図４参照）に対してヒンジ１２４ａ乃至１２４ｊによって回動可能に連結されている。そして、それぞれのベッドプレート１２２ａ乃至１２４ｊとベッドフレーム１０２の間に、エアシリンダ１２６ａ乃至１２６ｊが設けられており、これら各エアシリンダ１２６ａ乃至１２６ｊは、それぞれに対応する電磁弁群１２８の電磁弁が、制御装置１３０から発せられる制御信号に基づいて作動せしめられることによって、伸縮作動可能とされている。要するに、本態様におけるフィンガープレートは、前述の実施形態におけるフィンガープレート９８およびベッドプレート１０４が基布の幅方向で複数に分割されて、分割されたベッドプレート１２２ａ乃至１２２ｊのそれぞれに変位手段としてのヒンジ１２４ａ乃至１２４ｊおよびエアシリンダ１２６ａ乃至１２６ｊが設けられることによって、各別に下方への変位が可能とされている。【００７４】
このようにすれば、各エアシリンダ１２６ａ乃至１２６ｊを各別に制御して、フィンガープレート１２０ａ乃至１２０ｊの下方への変位を各別に制御することによって、基布の送り方向に加えて、基布の幅方向でカットパイルとループパイルが混在するパイル織物を製造することが出来る。従って、カットパイルやループパイルの模様を基布の斜め方向に形成することなども可能となって、より複雑な模様を形成することが可能となる。【００７５】
また、前記実施形態では、ルーパー８４が、ルーパーシャフト７２回りの往復回動運動によって大きな曲率半径の円弧を描く軌道上でニードル３０に対して接近離隔方向、具体的には隣り合うニードル３０，３０間に対する基布１２の送り方向前方からの抜き差し方向に往復変位せしめられるようになっていたが、ルーパー８４に関して、その他の駆動態様や変位形態を採用することも可能である。例えば、かかるルーパー８４を、基布１２の表面と平行に又は所定角度だけ傾斜して、基布１２の送り方向の前方からニードル３０に対して接近離隔方向で直線的な軌道上で往復変位させても良い。なお、直線的な往復変位を実現するに際しての駆動手段としては、実施形態と同様な回動運動を直線運動に変換するリンク機構やラック・ピニオン機構等を利用する他、シリンダ機構やソレノイド機構、リニアモータ等を用いて直線駆動源を採用することも可能となる。【００７６】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図１】
2009016685.tif 000003
【図２】
2009016685.tif 000004
【図３】
2009016685.tif 000005
【図４】
2009016685.tif 000006
【図５】
2009016685.tif 000007
【図６】
2009016685.tif 000008
【国際調査報告】
2009016685.tif 000009
2009016685.tif 000010
2009016685.tif 000011
2009016685.tif 000012